(57)【要約】【課題】  二番竿内に収納した状態で玉口より竿先側に突出する穂先竿及びその穂先竿に装着した釣糸ガイドを保護するとともに、仕掛けの投入時においては、穂先竿の釣糸ガイドとは反対側への撓みを許す保護機構を形成する振出竿を提供する点にある。【解決手段】  二番竿２の玉口から竿先側に向けてプリプレグで形成した穂先保護片２Ｂを延出するとともに、穂先保護片２Ｂで二番竿２内に収納された穂先竿１の移動釣糸ガイド１Ｂを下方及び両側方から覆って、穂先竿１及び移動釣糸ガイド１Ｂを保護するように構成してある。【選択図】        図１
2006158308.tif 000002
【特許請求の範囲】
【請求項１】
二番竿の玉口から竿先側に向けて穂先竿を覆う穂先保護片を延出固定するとともに、前記穂先保護片をプリプレグで形成してある振出竿。
【請求項２】
前記穂先保護片を、前記二番竿の玉口から竿先側に向けて延出される二番竿の竿本体先端部と、前記二番竿の竿本体先端部を覆うとともに竿本体先端部より竿先側まで延出してある被覆部とで構成してある請求項１記載の振出竿。
【請求項３】
前記二番竿の竿本体先端部を、強化繊維が竿の軸線方向に沿った状態で引き揃えられているプリプレグで形成するとともに、前記被覆部を、強化繊維が竿の軸線に対して４５°に傾斜してクロスする状態で配列されているプリプレグで形成してある請求項２記載の振出竿。
【請求項４】
請求項１〜３の内いずれかひとつに記載の振出竿の外周面に、釣糸ガイドを備えるとともに、前記穂先保護片に釣り糸ガイドの側方に到る側面部分を形成している振出竿。
【請求項５】
請求項１〜４の内いずれかひとつに記載の釣り竿用竿体の外周面に、蛍光イエロー系統の着色とオレンジ系統の着色を施した領域を有している振出竿。
【請求項６】
請求項１〜４の内いずれかひとつに記載の釣り竿用竿体の外周面を、二つの半周面領域に区画し、一方の区画を白色系統の色に他方の区画を水色系統の色に塗り分けている振出竿。
【発明の詳細な説明】
【技術分野】
【０００１】
本発明は、大径側竿体内に小径側竿体を順次収納することのできる振出竿に関する。
【背景技術】
【０００２】
上記した振出竿においては、穂先竿を二番竿内に収納し、その二番竿を元竿内に収納した状態であっても、穂先竿の先端部は二番竿の玉口から僅かに臨む状態に突出する状態にある。穂先竿の外周面に複数個の釣糸ガイドが設けられている場合には、釣糸ガイドとともに可也りの長さの穂先先端部が突出する。
このことによって、穂先竿を収納状態に仕舞い処理していても、その穂先先端部が他物と接触して損傷することがある。
このために、穂先竿を覆う穂先カバー等が用意されている（特許文献１）。
【０００３】
【特許文献１】実開昭５６−１１１７７４号公報（第１図、及び、第2図）。
【発明の開示】
【発明が解決しようとする課題】
【０００４】
しかし、上記した穂先カバーは、元竿等にバンドで締め付け固定するものであり、竿と別体に構成されているために、元竿等から外した場合に仕舞いに苦慮することがあった。
また、この穂先カバーは穂先竿から元上までの小径側竿体を元竿内に収納した状態で、穂先竿から元上までをカバーするものであるので、穂先竿はカバー外からの他物の衝突を受けて損傷する虞もあり、最も細い竿である穂先竿を保護する機能として十分なものを望み得ない面もあった。
【０００５】
本発明の目的は、二番竿内に収納した状態で玉口より竿先側に突出する穂先竿及びその穂先竿に装着した釣糸ガイドを保護するとともに、仕掛けの投入時においては、穂先竿の釣糸ガイドとは反対側への撓みを許す保護機構を形成する点にある。
【課題を解決するための手段】
【０００６】
〔構成〕
請求項１に係る発明の特徴構成は、二番竿の玉口から竿先側に向けて穂先竿を覆う穂先保護片を延出固定するとともに、前記穂先保護片をプリプレグで形成してある点にあり、その作用効果は次の通りである。
【０００７】
〔作用〕
穂先竿を覆う穂先保護片を二番竿の玉口から延出してその二番竿に固定しているので、穂先保護片を取り外す必要もない。
しかも、穂先保護片は竿材と同じプリプレグで製作されているので、単なるカバー等と比べて耐衝撃性、耐磨耗性等が高く、穂先竿に対する保護機能が高い。
【０００８】
〔効果〕
したがって、取扱い性、及び、保護機能の高い穂先保護片を提供できるに至った。
【０００９】
請求項２に係る発明の特徴構成は、前記穂先保護片を、前記二番竿の玉口から竿先側に向けて延出される二番竿の竿本体先端部と、前記二番竿の竿本体先端部を覆うとともに竿本体先端部より竿先側まで延出してある被覆部とで構成してある点にあり、その作用効果は次の通りである。
【００１０】
〔作用効果〕
つまり、二番竿を玉口部分で切断するのではなく、二番竿の基本的な構成要素である二番竿本体の先端部を玉口から更に竿先側に延出して、穂先保護片の一部を構成する二番竿の竿本体先端部を、二番竿と一体形成する。この二番竿の竿本体先端部を基本として更に竿先側に延びる被覆部を備え、竿本体先端部と被覆部とで穂先保護片を構成してある。
このように竿本体先端部を形成することによって、穂先保護片を二番竿に取り付ける機構を必要とせず、また、製作自体も二番竿と同時にできるので、それだけ、工数の手間が省ける。
また、穂先保護片として、二番竿の一体の竿本体先端部とそれより更に先端側に位置する被覆部とで、要求される機能にあった強度を確保すればよく、それだけ、対応性が広い。
【００１１】
請求項３に係る発明の特徴構成は、前記二番竿の竿本体先端部を、強化繊維が竿の軸線方向に沿った状態で引き揃えられているプリプレグで形成するとともに、前記被覆部を、強化繊維が竿の軸線に対して４５°に傾斜してクロスする状態で配列されているプリプレグで形成してある点にあり、その作用効果は次の通りである。
【００１２】
〔作用効果〕
竿本体先端部では、強化繊維が竿の軸線方向に沿って引き揃えられているために、二番竿と同様に剛性の高い構成になっており、それより先端側の被覆部では強化繊維が軸線方向に対して４５°に傾斜する状態で配列されているので、竿本体先端部より剛性がやや低下し柔軟性が高い状態になっている。
このように、被覆部で柔軟性を高くする構成を採っているのは、次ぎのような理由による。つまり、穂先保護片は二番竿に一体形成されているので、穂先竿等を元竿より引き出して伸長させた状態で釣操作に供する場合にも穂先竿の竿尻端部を保護する位置にある。一方、穂先竿は、仕掛けを投入する際に、一旦下向きに曲がりを生じた後に、上向きに撓む跳ね返り現象を呈することがある。
このような跳ね返り現象があったとしても、被覆部が竿本体先端部より柔軟性が高いので、その跳ね返り現象を許容するだけの柔軟性を発揮し、穂先竿に無理な力を作用させることがない。
【００１３】
請求項４に係る発明の特徴構成は、請求項１〜３の内いずれかひとつに記載の振出竿の外周面に、釣糸ガイドを備えるとともに、前記穂先保護片に釣り糸ガイドの側方に到る側面部分を形成している点にあり、その作用効果は次の通りである。
【００１４】
〔作用効果〕
つまり、穂先保護片の側面部分で穂先竿に取り付けてある釣糸ガイドをも受止めることができ、釣糸ガイドが穂先竿に対して周方向に自由に揺動することを阻止して他物との衝突を阻止するとともに、外部からの異物と釣糸ガイドとが衝突することを阻止できて、釣糸ガイドの保護をも図ることができる。
【００１５】
請求項５に係る発明の特徴構成は、請求項１〜４の内いずれかひとつに記載の釣り竿用竿体の外周面に、蛍光イエロー系統の着色とオレンジ系統の着色を施した領域を有している点にあり、その作用効果は次の通りである。
【００１６】
〔作用効果〕
釣りでは、釣れる魚の種類等によって、朝早くまだ薄暗い時分に釣りを行う場合や、昼間の太陽光を受けて行う場合等、釣時点での周囲の明るさが異なることが多々ある。このような明るさの違いがあっても、魚の当たりを穂先竿の撓み具合によって視認する必要がある。
この要請に応えたものとして、穂先竿の外周面に明度の高い明色帯域の着色部分と、明度の低い着色部分とを交互に配した構成のものが提案されている。
上記した構成のものでは、明色帯域に着色する色として白色等が採用され、暗色帯域に着色する色として黒色等が採用されている。
しかし、太陽光線を受けて釣りを行っている場合に、暗色帯域によって穂先竿の撓みによって魚の当たり等を捉えようとするものであるが、黒色等で代表される暗色では、比較的明るい太陽光の下であっても、視認性を向上させることはできなかった。
そこで、上記したように、外周面に、イエロー系統の着色とオレンジ系統の着色を施した領域を設けた。
このことによって、朝夕の薄暗い時点での釣りでは、オレンジ系統の色よりもイエロー系統の色が目立つところから、このイエローに着色した領域を視認することによって、穂先の動きを捉えることができる。
一方、昼間の釣りでは、太陽光の下であっても、蛍光イエロー系統の色よりもオレンジ系統の色が目立つところから、このオレンジに着色した領域を視認することによって、穂先の動きを捉えることができる。
このようにオレンジ系統の着色を施すことによって、単純に暗色系統の着色を施した場合に比べて、昼間の視認性を向上させることができ、昼夜を問わず快適な釣りを行うことができた。
【００１７】
請求項６に係る発明の特徴構成は、請求項１〜４の内いずれかひとつに記載の釣り竿用竿体の外周面を、二つの半周面領域に区画し、一方の区画を白色系統の色に他方の区画を水色系統の色に塗り分けている点にあり、その作用効果は次の通りである。
【００１８】
〔作用効果〕
竿の外周面を円周方向において１８０°づつの２つの半円周領域に分割し、一方の領域には白色の着色を施し、他方の領域には水色の着色を施す。
以上のような構成によって、水中色が白っぽくなる曇り時には一方の領域の白色面を水面に向けて魚が色を認識できないようにし、魚に竿を意識させないようにする。一方、水中色が青味を増す晴天時には他方の領域の水色面を水面に向けて魚が色を認識できないようにし、魚に竿を意識させないようにする。これによって魚の警戒心を和らげながら釣を行うことができる。
【発明を実施するための最良の形態】
【００１９】
図１（イ）に示すように、トップガイド１Ａ、及び、複数個の移動ガイド１Ｂを備えた穂先竿１と、玉口に釣り糸ガイド２Ａを備えた二番竿２と、図外の元竿とを備え、振出式の釣り竿を構成する。この穂先竿１、二番竿２を竿体と総称する。
【００２０】
図１（イ）（ロ）及び図２に示すように、二番竿２の玉口には竿先側に向けて突出する穂先保護片２Ｂを設けてある。この穂先保護片２Ｂの後記する被覆部２ｂは、炭素繊維等の強化繊維にエポキシ等の熱硬化性樹脂を含浸させて、プリプレグシートから構成されている。このプリプレグの強化繊維は強化繊維同士が互いに交差する状態に配向されており、竿の軸線方向に対して４５°の傾きを持って配置されている。このプリプレグを所定形状に裁断してメインパターンを形成し、このメインパターンを図外のマンドレルに巻回して形成する。
【００２１】
一方、穂先竿１及び二番竿２は図示していないが、次ぎのように製作される。つまり、竿の軸線方向に引き揃えられた強化繊維に熱硬化性樹脂を含浸させてプリプレグを形成し、このプリプレグを所定のパターンに裁断し、このパターンをマンドレルに巻回し、巻回後焼成し、裁断して所定長の竿体を形成する。
図２に示すように、二番竿２の竿先部分には、玉口の釣り糸ガイド２Ａより先端側にはみ出す、竿本体先端部としてのはみ出し部分２ａが設けてあり、このはみ出し部分２ａと前記した被覆部２ｂとを重ね合わせて穂先保護片２Ｂを形成してある。
【００２２】
以上のような構成によって、図１（ロ）に示すように、二番竿２内に穂先竿１を収納する。この場合に移動ガイド１Ｂは二番竿２の竿先側に集積されており、穂先竿１を挟んで反対側に位置する穂先保護片２Ｂによって受止め、保護されるものとなっている。
一方、穂先保護片２Ｂの先端側の被覆部２ｂは強化繊維が竿の軸線方向に対して４５°の傾きを持ったクロス繊維部分だけである。この強化繊維が竿の軸線方向に対して４５°の傾き状態で配向されているので、強化繊維が竿の軸線方向に沿って配置されている場合に比べて曲がり易くなっている。
【００２３】
したがって、穂先保護片２Ｂは穂先竿１の竿尻部分に比べて強化繊維が竿の軸線に対して傾斜しているところから、剛性が低下したものになっている。このような構成によって、仕掛けをキャストする場合に、穂先竿１には釣り糸ガイド１Ｂが向かっている下向き方向とは反対側の上向きに移動する跳ね返り現象が起ったとしても、穂先保護片２Ｂの剛性が穂先竿１より低いものであるので、その跳ね返り現象を抑える方向には穂先保護片２Ｂは作用しない。
【００２４】
穂先竿１の外周面に着色する点について説明する。図３に示すように、蛍光イエロー系統の色を着色した領域をイエロー領域３と称し、蛍光オレンジ系統の色を着色した領域をオレンジ領域４と称する。両領域３，４は外周面の円周方向に沿って軸線方向に一定幅を有する状態で形成されており、軸線方向に沿って交互に所定間隔Ｌを持って配置構成されている。
【００２５】
〔他の実施形態〕
（１）  穂先保護片２Ｂとしては、二番竿２の一部を延出した竿本体先端部２ａとその先端側に位置する被覆部２ｂとで構成してあるが、二番竿２の竿本体先端部２ａを強化繊維が互いにクロスさせたプリプレグで構成し、この竿本体先端部２ａのみで穂先保護片２Ｂを構成してもよい。また、穂先保護片２Ｂとしては、二番竿２と別個に形成し、その別個に構成した穂先保護片２Ｂを二番竿２の玉口に装着固定する構成を採っている。
（２）  穂先保護片２Ｂとしては、釣糸挿通経路を竿内に形成した中通し式の振出竿における二番竿２の玉口部分に設けてもよい。
（３）  穂先竿１の外周面に施す着色の別形態について説明する。図４に示すように、竿の外周面を円周方向において１８０°づつの２つの第１領域１Ｃ、第２領域１Ｄに分割し、これらの両域１Ｃ、１Ｄを軸線方向に沿って設ける。第1領域１Ｃには白色の着色を施し、第２領域１Ｄには水色の着色を施す。
以上のような構成によって、水中色が白っぽくなる曇り時には第１領域１Ｃの白色面を水面に向けて魚が色を認識できないようにし、魚に竿を意識させないようにする。一方、水中色が青味を増す晴天時には第２領域１Ｄの水色面を水面に向けて魚が色を認識できないようにし、魚に竿を意識させないようにする。これによって魚の警戒心を和らげることができる。
（４）  複数の竿体を備えている釣り竿であって、釣り竿の全長が長くなる程、着色する領域の竿軸線方向での設置間隔を広くなるようにしてある。
例えば筏竿のように２ｍ程の短い釣り竿に前記した着色を施す場合には、着色する領域の竿軸線方向での設置間隔を１０ｍｍ程度に短くし、反対に、磯竿のように４ｍ程の長尺の竿では、着色する領域の竿軸線方向での設置間隔を３０ｍｍ程度に長く採ることによって、手元から離れる穂先の動きを捉え易くする。
（５）  イエロー系統の色を着色した領域をイエロー領域３と、オレンジ系統の色を着色した領域をオレンジ領域４として、夫々の領域３，４に着色を施す形態としては、次ぎのようなものでもよい。つまり、図５に示すように、夫々の領域３，４を竿の円周方向に一定の幅を備えその一定幅のものを軸線方向に沿って配置する。このように軸線方向に沿って配置した領域を、竿の円周方向に沿って所定間隔で複数本配置構成し、その領域を蛍光イエロー領域と蛍光オレンジ領域とに交互に当てはめていく。
（６）  イエロー系統の色を着色した領域をイエロー領域３と、オレンジ系統の色を着色した領域をオレンジ領域４として、夫々の領域３，４に着色を施す形態としては、次ぎのようなものでもよい。つまり、図６に示すように、イエロー領域３とオレンジ領域４とを矩形状の領域とし、それらの領域３，４を井桁状に交互に配置する構成でもよい。
（７）  イエロー系統の色を着色した領域をイエロー領域３と、オレンジ系統の色を着色した領域をオレンジ領域４として、夫々の領域３，４に着色を施す形態としては、次ぎのようなものでもよい。つまり、図７に示すように、前記両領域３，４を設定するのに、竿の軸線方向に一定幅を有するものを竿の円周方向に巡らせて帯状の領域を設定し、この帯状の領域内に前記した領域３，４を交互に配置する構成を採ってもよい。
（８）  イエロー系統の色を着色した領域をイエロー領域３と、オレンジ系統の色を着色した領域をオレンジ領域４として、夫々の領域３，４に着色を施す形態としては、次ぎのようなものでもよい。つまり、図８に示すように、竿の円周方向に一定の幅を備えその一定幅のものを軸線方向に沿って配置する。このように軸線方向に沿って配置した領域を、竿の円周方向に沿って所定間隔で複数本配置構成し、その領域における一つ置きのもの毎に蛍光イエロー領域３とオレンジ領域４とを軸線方向に沿って交互に配置して構成を採ってもよい。
（９）  イエロー系統の色を着色した領域をイエロー領域３と、オレンジ系統の色を着色した領域をオレンジ領域４として、夫々の領域３，４に着色を施す形態としては、次ぎのようなものでもよい。つまり、図９に示すように、竿の外周面に円形の領域をランダムに配置し、その円形領域を交互にイエロー領域３とオレンジ領域４に設定する構成を採ってもよい。
【図面の簡単な説明】
【００２６】
【図１】穂先竿と二番竿を示し、（イ）は側面図、（ロ）は穂先保護片を二番竿の竿先に設けている状態を示す縦断側面図
【図２】穂先保護片を示す側面図
【図３】竿体周面に蛍光オレンジ領域とイエロー領域とを塗り分けた状態を示す側面図
【図４】竿体周面に白色領域と青色領域とを塗り分けた状態を示す側面図
【図５】竿体周面に蛍光オレンジ領域とイエロー領域とを塗り分けた状態を示す側面図
【図６】竿体周面に蛍光オレンジ領域とイエロー領域とを塗り分けた状態を示す側面図
【図７】竿体周面に蛍光オレンジ領域とイエロー領域とを塗り分けた状態を示す側面図
【図８】竿体周面に蛍光オレンジ領域とイエロー領域とを塗り分けた状態を示す側面図
【図９】竿体周面に蛍光オレンジ領域とイエロー領域とを塗り分けた状態を示す側面図
【符号の説明】
【００２７】
１      穂先竿
１Ｃ    第1領域
１Ｄ    第２領域
２      二番竿
２Ｂ    穂先保護片
３      イエロー領域
４      オレンジ領域
【図１】
2006158308.tif 000003
【図２】
2006158308.tif 000004
【図３】
2006158308.tif 000005
【図４】
2006158308.tif 000006
【図５】
2006158308.tif 000007
【図６】
2006158308.tif 000008
【図７】
2006158308.tif 000009
【図８】
2006158308.tif 000010
【図９】
2006158308.tif 000011